(57)【要約】【課題】表示パネルの下部をサブパネル内に後退させることなく、かつ、表示パネルを上下方向の位置を変化させずに逆チルト動作させること。【解決手段】表面に表示パネルが配置された第一プレート５と、第一プレート５とサブパネル２１とに連結された第二プレート６と、第一プレート５の下部に回転自在に配置された第一回転軸１０１と、第一プレート５の中央部で、第二プレート６の下部に回転自在に配置され、第一プレート５と第二プレート６とを連結する第二回転軸１０２と、第二プレート６の上部に回転自在に配置された第三回転軸１０３と、第一回転軸１０１と第二回転軸１０２と第三回転軸１０３との相対的な位置関係を変化させる第一回転軸移動機構７とを備え、第一回転軸移動機構７で第一回転軸１０１と第三回転軸１０３との距離を近づけると、第二回転軸１０２が押し出されて第一プレート５が傾倒する。【選択図】図６
2018157031.tif 000002
【特許請求の範囲】
【請求項１】
表面に表示パネルが配置され、上端部が下方に移動し、下端部が電子機器本体の表面から離れる方向に移動することで、電子機器本体の表面に沿ってスライドし開閉する第一可動部と、
前記第一可動部と前記電子機器本体の表面とに連結された第二可動部と、
前記第一可動部の下部に回転自在に配置された第一回転軸と、
前記第一可動部の中央部で、第二可動部の下部に回転自在に配置され、前記第一可動部と前記第二可動部とを連結する第二回転軸と、
前記第二可動部の上部に回転自在に配置された第三回転軸と、
前記第一回転軸を前記電子機器本体の表面に対して動かして、前記第一回転軸と前記第二回転軸と前記第三回転軸との相対的な位置関係を変化させる第一回転軸移動機構と、
を備え、
前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、
ことを特徴とする表示パネル駆動機構。
【請求項２】
前記電子機器本体の表面に対して進退するスライドプレートを有するスライド機構と、
前記スライドプレートと対面して形成されたカム溝を有するガイド機構と、
を備え、
前記第一回転軸移動機構は、一方の端部に前記第一回転軸が回転自在に配置されたリフトアームと、前記リフトアームの中央部と前記スライドプレートとを回転自在に連結するアーム回転軸と、前記リフトアームの他方の端部に配置され前記カム溝と係合するガイド軸とを有し、
前記スライドプレートが前記電子機器本体の表面に対して進退すると、前記ガイド軸が前記カム溝と係合しながら進退することで、前記アーム回転軸を軸として前記リフトアームが回転し、前記第一回転軸が前記第三回転軸に対する距離を変化させて移動する、請求項１に記載の表示パネル駆動機構。
【請求項３】
前記第二回転軸のまわりに配置され、前記第二可動部を前記第一可動部に近づける方向に付勢力を作用させるバネ、
を備える請求項１または２に記載の表示パネル駆動機構。
【請求項４】
前記第一可動部と前記電子機器本体の表面との間に配置された防護板、
を備え、
前記防護板は、前記第一可動部が前記電子機器本体の表面から離れると、前記第一可動部と前記電子機器本体の表面との間の隙間を覆う、請求項１から３のいずれか一項に記載の表示パネル駆動機構。
【請求項５】
表示パネル、
および、
表面に前記表示パネルが配置され、上端部が下方に移動し、下端部が電子機器本体の表面から離れる方向に移動することで、電子機器本体の表面に沿ってスライドし開閉する第一可動部と、
前記第一可動部と前記電子機器本体の表面とに連結された第二可動部と、
前記第一可動部の下部に回転自在に配置された第一回転軸と、
前記第一可動部の中央部で、第二可動部の下部に回転自在に配置され、前記第一可動部と前記第二可動部とを連結する第二回転軸と、
前記第二可動部の上部に回転自在に配置された第三回転軸と、
前記第一回転軸を前記電子機器本体の表面に対して動かして、前記第一回転軸と前記第二回転軸と前記第三回転軸との相対的な位置関係を変化させる第一回転軸移動機構と、を有する表示パネル駆動機構、
を備え、
前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、
ことを特徴とする表示ユニット。
【請求項６】
電子機器の電子機器本体の表面を有する筐体、
表示パネル、
および、
表面に前記表示パネルが配置され、上端部が下方に移動し、下端部が電子機器本体の表面から離れる方向に移動することで、電子機器本体の表面に沿ってスライドし開閉する第一可動部と、
前記第一可動部と前記電子機器本体の表面とに連結された第二可動部と、
前記第一可動部の下部に回転自在に配置された第一回転軸と、
前記第一可動部の中央部で、第二可動部の下部に回転自在に配置され、前記第一可動部と前記第二可動部とを連結する第二回転軸と、
前記第二可動部の上部に回転自在に配置された第三回転軸と、
前記第一回転軸を前記電子機器本体の表面に対して動かして、前記第一回転軸と前記第二回転軸と前記第三回転軸との相対的な位置関係を変化させる第一回転軸移動機構と、を有する表示パネル駆動機構、
を備え、
前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、
ことを特徴とする電子機器。
【発明の詳細な説明】
【技術分野】
【０００１】
本発明は、表示パネル駆動機構、表示ユニット、および、電子機器に関する。
【背景技術】
【０００２】
例えば、ＡＶ一体型のカーナビゲーションシステムまたはカーオーディオなどの車両用の電子機器は、乗員の目線より上に取付けられる場合や、傾斜させて取付けられる場合がある。このような場合、電子機器の姿勢を調節して視認性を確保したり、表示パネルにおける太陽光の反射を抑制したりするために、表示パネルの表面を下向きに傾倒させる逆チルト動作を行う技術が知られている（例えば、特許文献１、特許文献２参照）。特許文献１、特許文献２に記載の技術はいずれも、スライダによって、表示パネルの下部を車両のクラスタパネルなどに固定されたサブパネル内に後退させることで、表示パネルを表面が下向くように傾倒させる。
【先行技術文献】
【特許文献】
【０００３】
【特許文献１】特開２０１５−０１２１２３号公報
【特許文献２】特許第４３３４４５７号公報
【発明の概要】
【発明が解決しようとする課題】
【０００４】
電子機器には、視認性の向上など様々な目的のために、表示パネルを大型化したいという要望がある。ところが、特許文献１、特許文献２に記載された技術は、表示パネルの下部をサブパネル内に後退させて表示パネルの逆チルト動作を行う。このため、表示パネルの大きさは、サブパネルおよび筐体の大きさによって制限される。より詳しくは、サブパネルに対し表示パネルを大型化して、サブパネルの下端部よりも下側に表示パネルが張り出している場合、表示パネルの逆チルト動作をしようとしても、表示パネルの下部をサブパネル内へ後退させることができないので、逆チルト動作の実現が困難となる。このため、表示パネルの逆チルト動作時に、表示パネルの下部をサブパネル内に後退させることを抑制することが望まれる。
【０００５】
表示パネルの逆チルト動作時に、表示パネルの位置が上下方向に変化すると、電子機器が取付られた、例えば、クラスタパネル、センターコンソール、インストルメントパネルなどに干渉するおそれがある。このため、表示パネルの逆チルト動作時に、表示パネルの位置が上下方向に変化しないことが望まれる。
【０００６】
本発明は、上記に鑑みてなされたものであって、表示パネルの下部をサブパネル内に後退させることなく、かつ、表示パネルを上下方向の位置を変化させずに逆チルト動作させる表示パネル駆動機構、表示ユニット、および、電子機器を提供することを目的とする。
【課題を解決するための手段】
【０００７】
上述した課題を解決し、目的を達成するために、本発明に係る表示パネル駆動機構は、表面に表示パネルが配置され、上端部が下方に移動し、下端部が電子機器本体の表面から離れる方向に移動することで、電子機器本体の表面に沿ってスライドし開閉する第一可動部と、前記第一可動部と前記電子機器本体の表面とに連結された第二可動部と、前記第一可動部の下部に回転自在に配置された第一回転軸と、前記第一可動部の中央部で、第二可動部の下部に回転自在に配置され、前記第一可動部と前記第二可動部とを連結する第二回転軸と、前記第二可動部の上部に回転自在に配置された第三回転軸と、前記第一回転軸を前記電子機器本体の表面に対して動かして、前記第一回転軸と前記第二回転軸と前記第三回転軸との相対的な位置関係を変化させる第一回転軸移動機構と、を備え、前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、ことを特徴とする。
【０００８】
上述した課題を解決し、目的を達成するために、本発明に係る表示ユニットは、表示パネル、および、表面に前記表示パネルが配置され、上端部が下方に移動し、下端部が電子機器本体の表面から離れる方向に移動することで、電子機器本体の表面に沿ってスライドし開閉する第一可動部と、前記第一可動部と前記電子機器本体の表面とに連結された第二可動部と、前記第一可動部の下部に回転自在に配置された第一回転軸と、前記第一可動部の中央部で、第二可動部の下部に回転自在に配置され、前記第一可動部と前記第二可動部とを連結する第二回転軸と、前記第二可動部の上部に回転自在に配置された第三回転軸と、前記第一回転軸を前記電子機器本体の表面に対して動かして、前記第一回転軸と前記第二回転軸と前記第三回転軸との相対的な位置関係を変化させる第一回転軸移動機構と、を有する表示パネル駆動機構、を備え、前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、ことを特徴とする。
【０００９】
上述した課題を解決し、目的を達成するために、本発明に係る電子機器は、電子機器の電子機器本体の表面を有する筐体、表示パネル、および、表面に前記表示パネルが配置され、上端部が下方に移動し、下端部が電子機器本体の表面から離れる方向に移動することで、電子機器本体の表面に沿ってスライドし開閉する第一可動部と、前記第一可動部と前記電子機器本体の表面とに連結された第二可動部と、前記第一可動部の下部に回転自在に配置された第一回転軸と、前記第一可動部の中央部で、第二可動部の下部に回転自在に配置され、前記第一可動部と前記第二可動部とを連結する第二回転軸と、前記第二可動部の上部に回転自在に配置された第三回転軸と、前記第一回転軸を前記電子機器本体の表面に対して動かして、前記第一回転軸と前記第二回転軸と前記第三回転軸との相対的な位置関係を変化させる第一回転軸移動機構と、を有する表示パネル駆動機構、を備え、前記第一回転軸移動機構で、前記第一回転軸を前記電子機器本体の表面に対して動かして、前記第一回転軸と前記第三回転軸との距離を近づけると、前記第二回転軸が前記電子機器本体の表面から離れる方向に押し出されて前記第一可動部の上部が前記電子機器本体の表面から離れる方向に傾倒する、ことを特徴とする。
【発明の効果】
【００１０】
本発明によれば、表示パネルの下部をサブパネル内に後退させることなく、かつ、表示パネルを上下方向の位置を変化させずに逆チルト動作させることができるという効果を奏する。
【図面の簡単な説明】
【００１１】
【図１】図１は、実施形態に係る電子機器を車両に取り付けた状態を示す正面図である。
【図２】図２は、実施形態に係る表示ユニットを示す斜視図であり、表示ユニットの逆チルト状態を示す図である。
【図３】図３は、実施形態に係る表示ユニットを示す斜視図であり、表示ユニットの逆チルト状態を示す図である。
【図４】図４は、実施形態に係る表示ユニットの正立状態を示す側面図である。
【図５】図５は、実施形態に係る表示ユニットの正立状態から逆チルト状態への逆チルト動作を示す側面図である。
【図６】図６は、実施形態に係る表示ユニットの逆チルト状態を示す側面図である。
【図７】図７は、実施形態に係る表示ユニットの逆チルト状態から中間正立状態への動作を示す側面図である。
【図８】図８は、実施形態に係る表示ユニットの中間正立状態を示す側面図である。
【図９】図９は、実施形態に係る表示ユニットの中間正立状態からチルト状態への動作を示す側面図である。
【図１０】図１０は、実施形態に係る表示ユニットの中間正立状態からチルト状態への動作を示す側面図である。
【図１１】図１１は、実施形態に係る表示ユニットの中間正立状態からチルト状態への動作を示す側面図である。
【図１２】図１２は、実施形態に係る表示ユニットの中間正立状態からチルト状態への動作を示す側面図である。
【図１３】図１３は、実施形態に係る表示ユニットの中間正立状態からチルト状態への動作を示す側面図である。
【図１４】図１４は、実施形態に係る表示ユニットのチルト状態を示す側面図である。
【発明を実施するための形態】
【００１２】
以下に添付図面を参照して、本発明に係る表示パネル駆動機構４を備えた電子機器１の実施形態を詳細に説明する。なお、以下の実施形態により本発明が限定されるものではない。
【００１３】
以下の説明においては、電子機器１を運転席の前方の車両に搭載した状態で各方向を定義する。前後方向とは、車両直進時の進行方向と平行な方向であり、運転席側に向かう方向を前後方向の「前」、前方ウインドシールド側に向かう方向を前後方向「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１４】
図１は、実施形態に係る電子機器を車両に取り付けた状態を示す正面図である。図２は、実施形態に係る表示ユニットを示す斜視図であり、表示ユニットの逆チルト状態を示す図である。図３は、実施形態に係る表示ユニットを示す斜視図であり、表示ユニットの逆チルト状態を示す図である。電子機器１は、記憶媒体から情報を読み取る読取ユニット２と、読み取った情報を表示させる表示ユニット３とを有する。電子機器１は、例えば、ＡＶ一体型のカーナビゲーションシステムまたはカーオーディオなどである。
【００１５】
読取ユニット２は、記憶媒体が装着される図示しないメディアスロットが配置され、記憶媒体から情報を読み取る。読取ユニット２は、記憶媒体から読み取った情報と、表示パネルで検出された操作情報とに基づいて、図示しない制御部を介して電子機器１の各部に制御信号を出力する。読取ユニット２は、直方体状の箱状に形成された筐体（電子機器本体）２０を有する。
【００１６】
筐体２０は、表示ユニット３と向かい合う面にサブパネル（電子機器本体の表面）２１が配置されている。筐体２０は、例えば、クラスタパネル、センターコンソール、インストルメントパネルに取り付けられている。
【００１７】
サブパネル２１は、前後方向と直交する平面に配置されている。サブパネル２１には、記憶媒体が装着されるメディアスロットが配置されている。サブパネル２１は、前側が開口している。サブパネル２１の開口の内周面には、Ｚ軸方向に沿った方向に延びるガイド溝２２が形成されている。
【００１８】
ガイド溝２２は、表示ユニット３のチルト動作時に、第三回転軸１０３をガイドする。ガイド溝２２は、第三回転軸１０３の先端部が係合している。ガイド溝２２の上端部には、表示ユニット３の逆チルト動作時に、第三回転軸１０３が上側に向かって押し付けられる。ガイド溝２２の下端部には、表示ユニット３のチルト動作完了時に第三回転軸１０３が当接する。
【００１９】
表示ユニット３は、表面に配置された図示しない表示パネルと、表示ユニット３の姿勢を変化させる表示パネル駆動機構４とを有する。表示ユニット３は、表示パネル駆動機構４で、正立状態とする正立動作と、逆チルト状態とする逆チルト動作と、チルト状態とするチルト動作とを行う。正立状態とは、表示ユニット３が筐体２０のサブパネル２１と平行な方向に沿って起立した状態である。逆チルト状態とは、表示ユニット３が表面を下向きにして、サブパネル２１に対して傾いた状態である。チルト状態とは、表示ユニット３が表示面を上向きにして、サブパネル２１に対して傾いた状態である。
【００２０】
表示ユニット３が正立状態または逆チルト状態のとき、表示ユニット３は、読取ユニット２に対して閉じた状態である。言い換えると、表示ユニット３が正立状態または逆チルト状態のとき、サブパネル２１は表示ユニット３で覆われている。
【００２１】
表示ユニット３がチルト動作時に、表示ユニット３は、読取ユニット２のサブパネル２１の側面にある溝２２に沿ってスライドし開閉する。表示ユニット３がチルト状態のとき、読取ユニット２は開いた状態で、サブパネル２１が露出している。表示ユニット３は、下部が筐体２０から遠ざかりながら、上部がサブパネル２１に沿って下側にスライドすることで、筐体２０に対して開いた状態となる。表示ユニット３は、下部が筐体２０に近づきながら、上部がサブパネル２１に沿って上側にスライドすることで筐体２０に対して閉じた状態となる。
【００２２】
表示パネル駆動機構４は、第一プレート（第一可動部）５と、第二プレート（第二可動部）６と、第一回転軸移動機構７と、スライド機構８と、ガイド機構９と、防護板１０と、第一回転軸１０１と、第二回転軸１０２と、第三回転軸１０３とを有する。
【００２３】
第一プレート５は、上端部が下方に移動し、下端部が前方に移動することで、サブパネル２１に沿ってスライドし開閉する。第一プレート５は、表示パネルを支持するプレートである。第一プレート５は、表示ユニット３が正立状態であるときのＸ軸方向視において、サブパネル２１より広い面積を有する矩形状に形成されている。第一プレート５は、サブパネル２１より前側に配置されている。第一プレート５は、表示ユニット３が正立状態であるとき、サブパネル２１と平行な方向に沿って起立し、サブパネル２１と対面する。第一プレート５は、表示ユニット３が逆チルト状態であるとき、表面を下向きにして、サブパネル２１に対して傾いている。第一プレート５は、表示ユニット３がチルト状態であるとき、表面を上向きにして、サブパネル２１に対して傾いている。第一プレート５は、表示パネルを支持する本体部５１と、第二プレート６と第一回転軸移動機構７と防護板１０とが連結される連結部５２とを有する。第一プレート５と連結部５２とは、一体に形成されている。
【００２４】
本体部５１は、表示ユニット３が正立状態であるときのＸ軸方向視において、サブパネル２１より広い面積を有する矩形状に形成されている。より詳しくは、本体部５１は、サブパネル２１より、Ｚ軸方向の幅が大きく形成されている。本体部５１は、表面に表示パネルが配置されている。本体部５１は、サブパネル２１より前側に配置されている。
【００２５】
連結部５２は、本体部５１より、Ｙ軸方向の幅が小さく、Ｚ軸方向の幅が小さく形成されている。連結部５２は、本体部５１より、Ｙ軸方向が両端部において短く、Ｚ軸方向が下側において小さい。連結部５２は、表示ユニット３が正立状態であるとき、サブパネル２１の開口に収容される。連結部５２は、表示ユニット３が正立状態であるとき、サブパネル２１と対面する。
【００２６】
このように構成された第一プレート５は、連結部５２に連結された各部材の動作に連動してサブパネル２１に対して起立したり傾いたりする。第一プレート５には連結部５２と、第一回転軸１０１と第二回転軸１０２とが配置されている。
【００２７】
第一回転軸１０１は、連結部５２の一対の側面５２１間の下部をＹ軸方向に貫通している。第一回転軸１０１は、第一プレート５と第一回転軸移動機構７とを軸線回りに回転自在に連結する。
【００２８】
第一回転軸１０１は、第一回転軸１０１と第二回転軸１０２と第三回転軸１０３とを含むリンク機構のジョイント部の回動支点を示す。
【００２９】
本実施形態において、回転軸とは、３６０度以下の回動するものを含む。以下の回転軸についても同様である。
【００３０】
第二回転軸１０２は、連結部５２の一対の側面５２１間の中央部をＹ軸方向に貫通している。第二回転軸１０２は、表示ユニット３が正立状態であるとき、第一回転軸１０１の上側かつ前側に位置している。第二回転軸１０２は、第一プレート５と第二プレート６とを軸線回りに回転自在に連結する。
【００３１】
第二回転軸１０２は、第一回転軸１０１と第二回転軸１０２と第三回転軸１０３とを含むリンク機構のジョイント部の回動支点を示す。
【００３２】
第二プレート６は、サブパネル２１と第一プレート５とを連結する。第二プレート６は、表示ユニット３が正立状態であるときの前側が開口している。第二プレート６は、表示ユニット３が正立状態であるとき、第一プレート５の連結部５２を開口に収容した状態で、サブパネル２１の開口に収容される。第二プレート６は、第一プレート５とサブパネル２１と対面する主壁６１と、主壁６１から立設する一対の側壁６２とを有する。主壁６１と一対の側壁６２とは、一体に形成されている。主壁６１と一対の側壁６２とで囲まれた空間が、表示ユニット３が正立状態であるときの前方に向かって開口している。
【００３３】
主壁６１は、矩形の板状に形成されている。主壁６１は、第一プレート５の連結部５２より、Ｙ軸方向の幅が大きい。主壁６１は、表示ユニット３が正立状態であるとき、表面がサブパネル２１と向かい合い、裏面が第一プレート５と向かい合う。
【００３４】
一対の側壁６２は、平板で形成されている。一対の側壁６２は、主壁６１のＹ軸方向の両端部から前側に立設されている。一対の側壁６２は、第一プレート５の連結部５２の一対の側面５２１を挟んで向かい合って配置されている。一対の側壁６２には、ガイド溝６３が形成されている。
【００３５】
ガイド溝６３は、表示ユニット３の逆チルト動作時またはチルト動作時に、防護板１０の係合軸１２をガイドする。表示ユニット３が正立状態であるとき、防護板１０は、ガイド溝６３に沿って、第二プレート６の主壁６１と一対の側癖６２に囲まれた空間に治まる。ガイド溝６３は、防護板１０の係合軸１２の先端部が係合している。
【００３６】
このように構成された第二プレート６は、第二回転軸１０２を介して第一プレート５と連結されている。第二プレート６は、第三回転軸１０３を介してサブパネル２１と連結されている。
【００３７】
第二回転軸１０２は、第二プレート６の一対の側壁６２が第一プレート５の連結部５２の一対の側面５２１を挟んだ状態で、第二プレート６の一対の側壁６２の下部をＹ軸方向に貫通している。第二回転軸１０２には図示しないねじりコイルバネ（バネ）が配置されており、第二プレート６を第一プレート５に近づける方向、言い換えると、第二プレート６と第一プレート５とを閉じて、第二プレート６の開口に第一プレート５の連結部５２を収容する方向に付勢している。
【００３８】
第三回転軸１０３は、第二プレート６の一対の側壁６２の上部をＹ軸方向に貫通している。第三回転軸１０３は、表示ユニット３の逆チルト動作時、第二回転軸１０２に配置されたねじりコイルバネによって、サブパネル２１のガイド溝２２の上端部に押し付けられている。
【００３９】
第三回転軸１０３は、第一回転軸１０１と第二回転軸１０２と第三回転軸１０３とを含むリンク機構のジョイント部の回動支点を示す。
【００４０】
第一回転軸移動機構７は、第一回転軸１０１をサブパネル２１に対して移動させる。第一回転軸移動機構７は、一対のリフトアーム７１を有する。
【００４１】
一対のリフトアーム７１は、第一プレート５の連結部５２の一対の側面５２１を挟んで向かい合って配置されている。リフトアーム７１は、第一アーム７２と、第二アーム７３と、第一アーム７２と第二アーム７３との間に配置された屈曲部７４とで、一体に形成されている。リフトアーム７１は、例えば、図示のようにくの字形状に形成されていてもよい。リフトアーム７１の形状は、図示の形状に限定されない。一対のリフトアーム７１は、Ｙ軸方向に沿って延びる連結部７５によって連結されている。一対のリフトアーム７１には、アーム回転軸７６と、ガイド軸７７とが連結されている。
【００４２】
第一アーム７２は、表示ユニット３が正立状態であるとき、前側から後側に向かうにつれて上側から下側に傾斜している。
【００４３】
第二アーム７３は、表示ユニット３が正立状態であるとき、前側から後側に向かうにつれて下側から上側に傾斜している。
【００４４】
屈曲部７４は、第一アーム７２と第二アーム７３との間に位置する。
【００４５】
アーム回転軸７６は、一対のリフトアーム７１をＹ軸方向に貫通している。一対のリフトアーム７１は、アーム回転軸７６の軸線回りに回転自在である。アーム回転軸７６は、スライド機構８のスライドプレート８１に回転自在に連結されている。これにより、スライド機構８のスライドプレート８１の進退に連動して、アーム回転軸７６が筐体２０に対して前後方向に進退し、一対のリフトアーム７１が進退する。
【００４６】
ガイド軸７７は、一対のリフトアーム７１に回転自在に連結されている。ガイド軸７７は、ガイド機構９のカム溝９１に係合している。ガイド軸７７がカム溝９１に沿ってスライドすることで、一対のリフトアーム７１は、アーム回転軸７６の軸線回りに回転して姿勢が変化する。
【００４７】
スライド機構８は、筐体２０に対して前後方向に進退する。スライド機構８は、スライドプレート８１と、図示しないモータとを有する。スライドプレート８１は、モータで駆動され、筐体２０のサブパネル２１に対して前進したり、筐体２０のサブパネル２１に対して後退したりする。スライドプレート８１は、一方の端部がアーム回転軸７６と回転自在に連結する。スライドプレート８１は、他方の端部がモータと接続されている。
【００４８】
このように構成されたスライド機構８は、スライドプレート８１が筐体２０のサブパネル２１に対して前進すると、アーム回転軸７６を前進させる。スライド機構８は、スライドプレート８１が筐体２０のサブパネル２１に対して後退すると、アーム回転軸７６を後退させる。スライドプレート８１の進退時、ガイド軸７７がカム溝９１に沿ってスライドすることで、一対のリフトアーム７１は、アーム回転軸７６の軸線回りに回転して姿勢が変化する。
【００４９】
ガイド機構９は、スライド機構８のスライドプレート８１と対面して筐体２０に配置されている。ガイド機構９は、ガイド軸７７と係合するカム溝９１が形成されている。
【００５０】
カム溝９１は、ガイド軸７７をガイドする。カム溝９１は、第一傾斜部９２と水平部９３と第二傾斜部９４とが連通して形成されている。
【００５１】
第一傾斜部９２は、後側から前側に向かうにつれて上側から下側に傾斜している。
【００５２】
水平部９３は、第一傾斜部９２の前端部に連通し、後側から前側に水平に形成されている。
【００５３】
第二傾斜部９４は、水平部９３の前端部に連通し、ガイド機構９の端部において開口している。第二傾斜部９４は、水平部９３の前端部と同じ高さから前側に向かうにつれて上側に傾斜して、前端部に水平部が形成されている。
【００５４】
防護板１０は、表示ユニット３とサブパネル２１との間の隙間に異物や埃が侵入することを規制する。防護板１０は、ひさし状に形成されている。防護板１０は、表示ユニット３が正立状態であるとき、第二プレート６の開口に収容される。防護板１０は、第一プレート５とサブパネル２１との間に隙間が生じているとき、第一プレート５とサブパネル２１との間の隙間を覆う。防護板１０は、防護板回転軸１１と、係合軸１２とを有する。
【００５５】
防護板回転軸１１は、第一プレート５の連結部５２と防護板１０とを回転自在に連結する。
【００５６】
係合軸１２は、防護板１０の自由端部をＹ軸方向に貫通している。係合軸１２は、防護板１０に回転自在に配置されている。係合軸１２は、軸線方向の先端部が第二プレート６のガイド溝６３に係合している。係合軸１２は、防護板１０の開閉に連動してガイド溝６３に沿ってスライドする。
【００５７】
このように構成された表示パネル駆動機構４において、一対のリフトアーム７１の姿勢の変化に連動して、第一回転軸１０１と第二回転軸１０２と第三回転軸１０３との相対的な位置関係が変化する。第一回転軸移動機構７の姿勢が変化しても、第一回転軸１０１と第二回転軸１０２との間の距離Ｌ１は固定であり、第二回転軸１０２と第三回転軸１０３との間の距離Ｌ２は固定である。第一回転軸１０１と第三回転軸１０３との間の距離Ｌ３は第一回転軸移動機構７の姿勢の変化に連動して変化する。さらに、第三回転軸１０３は、表示ユニット３の逆チルト動作時、ねじりコイルバネによって、サブパネル２１のガイド溝２２の上端部に押し付けられている。これらにより、表示ユニット３の逆チルト動作時、第一回転軸移動機構７の姿勢が変化すると、第二回転軸１０２の位置が変化する。
【００５８】
次に、このように構成された電子機器１の逆チルト動作とチルト動作と作用について説明する。
【００５９】
まず、図４を用いて、表示ユニット３の正立状態について説明する。図４は、実施形態に係る表示ユニットの正立状態を示す側面図である。第一プレート５は、筐体２０のサブパネル２１と平行な方向に沿って起立している。第一プレート５の連結部５２は、サブパネル２１の開口に収容されている。第三回転軸１０３は、ねじりコイルバネによって、サブパネル２１のガイド溝２２の上端部に押し付けられている。ガイド軸７７は、ガイド機構９のカム溝９１の第一傾斜部９２の後端部に位置している。
【００６０】
図５、図６を用いて、表示ユニット３の逆チルト動作について説明する。図５は、実施形態に係る表示ユニットの正立状態から逆チルト状態への逆チルト動作を示す側面図である。図６は、実施形態に係る表示ユニットの逆チルト状態を示す側面図である。逆チルト動作は、表示ユニット３の正立状態から開始される。逆チルト動作が開始されると、スライド機構８のスライドプレート８１がモータで駆動され、筐体２０のサブパネル２１に対して前進する。第三回転軸１０３は、ねじりコイルバネによって、サブパネル２１のガイド溝２２の上端部に押し付けられている。言い換えると、図５、図６に示す状態において、第三回転軸１０３は、移動が規制されている。
【００６１】
図５に示す状態は、表示ユニット３が正立状態から逆チルト状態に変化する途中の状態である。スライド機構８のスライドプレート８１が筐体２０のサブパネル２１に対して前進している。スライドプレート８１の前進に連動して、第一回転軸移動機構７が前進している。より詳しくは、ガイド軸７７は、ガイド機構９のカム溝９１に沿って前進している。ガイド軸７７は、第一傾斜部９２の中央部に位置し、図４に示す状態より前側かつ下側に位置している。ガイド軸７７の動きに連動して、一対のリフトアーム７１がアーム回転軸７６を中心に時計回りに回転して姿勢が変化している。第二アーム７３が押し下げられ、第一アーム７２が持ち上げられている。第一回転軸１０１は、図４に示す状態より前側かつ上側に位置している。第一回転軸１０１は、ガイド軸７７より上側に位置している。第一回転軸１０１と第二回転軸１０２と第三回転軸１０３との相対的な位置関係が変化し、第一回転軸１０１と第三回転軸１０３との間の距離Ｌ３が図４に示す状態より短くなっている。第一回転軸１０１の移動に連動して、第二回転軸１０２が図４に示す状態より前側かつ上側に移動している。このようにして、第一プレート５は、表面を下向きにした逆チルト状態になっている。第一プレート５の連結部５２は、一部分がサブパネル２１から露出している。第一プレート５の連結部５２の上部が筐体２０のサブパネル２１から離間するのに連動して、防護板１０の係合軸１２は、ガイド溝６３に沿って下側から上側に移動している。
【００６２】
図６に示す状態は、図５に示す状態から、逆チルト動作が完了した状態である。スライド機構８のスライドプレート８１が筐体２０のサブパネル２１に対してさらに前進している。スライドプレート８１の前進に連動して、第一回転軸移動機構７がさらに前進している。ガイド軸７７は、第一傾斜部９２の前端部に位置し、図５に示す状態より前側かつ下側に位置している。第二アーム７３がさらに押し下げられ、第一アーム７２がさらに持ち上げられている。第一回転軸１０１は、図５に示す状態より前側かつ上側に位置している。第一回転軸１０１と第二回転軸１０２と第三回転軸１０３との相対的な位置関係が変化し、第一回転軸１０１と第三回転軸１０３との間の距離Ｌ３が図５に示す状態よりさらに短くなっている。第一回転軸１０１の移動に連動して、第二回転軸１０２が図５に示す状態より前側かつ上側に移動している。このようにして、第一プレート５は、表面を下向きにした逆チルト状態になっている。第一プレート５の連結部５２は、一部分がサブパネル２１からさらに露出している。第一プレート５の連結部５２の上部が筐体２０のサブパネル２１から離間するのに連動して、防護板１０の係合軸１２は、ガイド溝６３に沿って下側から上側に移動している。防護板１０は、第一プレート５とサブパネル２１との間の隙間を覆っている。
【００６３】
このような逆チルト動作において、スライド機構８のスライドプレート８１が筐体２０のサブパネル２１に対して前進することで、第一回転軸１０１と第二回転軸１０２と第三回転軸１０３との相対的な位置関係が変化し、第一プレート５は、表面を下向きにした逆チルト状態になる。また、逆チルト動作において、第一プレート５の表面の下端部は、正立状態の位置から変化しない。さらに、第一プレート５がサブパネル２１内に後退することなく、表示ユニット３が逆チルト状態になる。言い換えると、第一プレート５の下部をサブパネル２１内に後退させることなく、かつ、第一プレート５の表面の下端部の位置を変化させずに、逆チルト動作が行われる。
【００６４】
つづいて、表示ユニット３のチルト動作について説明する。チルト動作は、電子機器１の表示ユニット３が正立状態から、逆チルト動作を経て行われる。逆チルト状態からチルト状態に移行する途中に、表示ユニット３が筐体２０のサブパネル２１と平行な方向に沿って起立した中間正立状態となる。中間正立状態は、表示ユニット３が、正立状態よりも前側で、言い換えると、筐体２０のサブパネル２１から離間した位置で起立した状態である。
【００６５】
図７、図８を用いて、表示ユニット３の中間正立動作について説明する。図７は、実施形態に係る表示ユニットの逆チルト状態から中間正立状態への動作を示す側面図である。図８は、実施形態に係る表示ユニットの中間正立状態を示す側面図である。表示ユニット３は中間正立動作が完了した状態で一旦停止してもよいし、停止せずに連続してチルト動作に移行してもよい。
【００６６】
図７に示す状態は、表示ユニット３が逆チルト状態から中間正立状態に変化する途中の状態である。図７に示す状態は、図６に示す状態から、さらに、スライド機構８のスライドプレート８１が筐体２０のサブパネル２１に対して前進している。スライドプレート８１の前進に連動して、第一回転軸移動機構７がさらに前進している。ガイド軸７７は、水平部９３の中央部に位置し、図６に示す状態より前側かつ上側に位置している。ガイド軸７７の動きに連動して、一対のリフトアーム７１がアーム回転軸７６を中心に反時計回りに回転して姿勢が変化している。第二アーム７３が持ち上げられ、第一アーム７２が押し下げられている。第一回転軸１０１は、図６に示す状態より前側かつ下側に位置している。第一回転軸１０１と第二回転軸１０２と第三回転軸１０３との相対的な位置関係が変化している。第一回転軸１０１の移動に連動して、第二回転軸１０２が図６に示す状態より前側に移動している。第三回転軸１０３は、サブパネル２１のガイド溝２２の上端部から離間している。第一プレート５の下部は、筐体２０のサブパネル２１から離間している。第一プレート５の上部が筐体２０のサブパネル２１に対して引き戻されて、第一プレート５のサブパネル２１に対する傾斜が小さくなっている。第一プレート５の連結部５２は、一部分がサブパネル２１から露出している。防護板１０の係合軸１２は、ガイド溝６３に沿って上側から下側に移動している。防護板１０は、第一プレート５とサブパネル２１との間の隙間を覆っている。
【００６７】
図８に示す状態は、表示ユニット３の中間正立状態である。図８に示す状態は、図７に示す状態から、さらに、スライド機構８のスライドプレート８１が筐体２０のサブパネル２１に対して前進している。スライドプレート８１の前進に連動して、第一回転軸移動機構７がさらに前進している。ガイド軸７７は、水平部９３の前端部に位置し、図７に示す状態より前側かつ上側に位置している。第二アーム７３がさらに持ち上げられ、第一アーム７２がさらに押し下げられている。第一回転軸１０１と第二回転軸１０２と第三回転軸１０３との相対的な位置関係が変化している。第三回転軸１０３は、図７に示す状態よりサブパネル２１のガイド溝２２の下側に位置している。このようにして、第一プレート５は、下部が筐体２０のサブパネル２１から離間した位置で、筐体２０のサブパネル２１と平行な方向に沿って起立した中間正立状態になる。第一プレート５の連結部５２は、全体がサブパネル２１から露出している。防護板１０の係合軸１２は、ガイド溝６３に沿って上側から下側に移動している。防護板１０は、第一プレート５とサブパネル２１との間の隙間を覆っている。
【００６８】
図９ないし図１４を用いて、表示ユニット３のチルト動作について説明する。図９は、実施形態に係る表示ユニットの中間正立状態からチルト状態への動作を示す側面図である。図１０は、実施形態に係る表示ユニットの中間正立状態からチルト状態への動作を示す側面図である。図１１は、実施形態に係る表示ユニットの中間正立状態からチルト状態への動作を示す側面図である。図１２は、実施形態に係る表示ユニットの中間正立状態からチルト状態への動作を示す側面図である。図１３は、実施形態に係る表示ユニットの中間正立状態からチルト状態への動作を示す側面図である。図１４は、実施形態に係る表示ユニットのチルト状態を示す側面図である。
【００６９】
図９に示す状態は、表示ユニット３が中間正立状態からチルト状態に変化する途中の状態である。図９に示す状態は、図８に示す状態から、さらに、スライド機構８のスライドプレート８１が筐体２０のサブパネル２１に対して前進している。スライドプレート８１の前進に連動して、第一回転軸移動機構７がさらに前進している。ガイド軸７７は、第二傾斜部９４の前端部に位置している。第一プレート５は、表面を上向きにして、サブパネル２１に対して傾いている。第一プレート５の連結部５２は、サブパネル２１から露出している。防護板１０の係合軸１２は、図８に示す状態よりガイド溝６３の下側に位置している。防護板１０は、第一プレート５とサブパネル２１との間の隙間を覆っている。
【００７０】
図１０に示す状態は、図９に示す状態から、さらに、スライド機構８のスライドプレート８１が筐体２０のサブパネル２１に対して前進している。スライドプレート８１の前進に連動して、第一回転軸移動機構７がさらに前進している。ガイド軸７７は、第三回転軸１０３は、図９に示す状態よりサブパネル２１のガイド溝２２の下側に位置している。第一プレート５は、図９に示す状態よりサブパネル２１に対して大きく傾いている。防護板１０の係合軸１２は、ガイド溝６３の下側に位置している。防護板１０は、サブパネル２１の開口に収容されている。
【００７１】
図１１に示す状態は、図１０に示す状態から、さらに、スライド機構８のスライドプレート８１が筐体２０のサブパネル２１に対して前進している。スライドプレート８１の前進に連動して、第一回転軸移動機構７がさらに前進している。第三回転軸１０３は、図１０に示す状態よりサブパネル２１のガイド溝２２の下側に位置している。第一プレート５は、図１０に示す状態よりサブパネル２１に対して大きく傾いている。第一プレート５の連結部５２は、一部分が第二プレート６の一対の側壁６２間の開口に収容されている。防護板１０の係合軸１２は、図１０に示す状態よりガイド溝６３の下側に位置している。
【００７２】
図１２に示す状態は、図１１に示す状態から、さらに、スライド機構８のスライドプレート８１が筐体２０のサブパネル２１に対して前進している。スライドプレート８１の前進に連動して、第一回転軸移動機構７がさらに前進している。第三回転軸１０３は、図１１に示す状態よりサブパネル２１のガイド溝２２の下側に位置している。。第一プレート５は、図１１に示す状態よりサブパネル２１に対して大きく傾いている。第一プレート５の連結部５２は、一部分が第二プレート６の一対の側壁６２間の開口に収容されている。防護板１０の係合軸１２は、ガイド溝６３の下端部に位置している。
【００７３】
図１３に示す状態は、図１２に示す状態から、さらに、スライド機構８のスライドプレート８１が筐体２０のサブパネル２１に対して前進している。スライドプレート８１の前進に連動して、第一回転軸移動機構７がさらに前進している。第三回転軸１０３は、図１２に示す状態よりサブパネル２１のガイド溝２２の下側に位置している。第一プレート５は、図１２に示す状態よりサブパネル２１に対して大きく傾いている。第一プレート５の連結部５２は、第二プレート６の一対の側壁６２間の開口に収容されている。
【００７４】
図１４に示す状態は、図１３に示す状態から、さらに、スライド機構８のスライドプレート８１が筐体２０のサブパネル２１に対して前進している。スライドプレート８１の前進に連動して、第一回転軸移動機構７がさらに前進している。第三回転軸１０３は、サブパネル２１のガイド溝２２の下端部に位置している。このようにして、第一プレート５がサブパネル２１に対して開き、チルト動作が完了する。
【００７５】
上述したように、本実施形態は、スライド機構８の進退動作に連動して第一回転軸移動機構７の姿勢が変化して、第一回転軸１０１が筐体２０のサブパネル２１に対して動作する。そして、第一回転軸１０１と第二回転軸１０２と第三回転軸１０３との相対的な位置関係を変化させて、第一プレート５をサブパネル２１に対して傾けることで、表示ユニット３を逆チルト動作させる。本実施形態は、逆チルト動作時に、第一プレート５の表面の下端部の位置を変化させず、第一プレート５をサブパネル２１内に後退させずに、表示ユニット３を逆チルト状態にすることができる。本実施形態によれば、第一プレート５によって支持される表示パネルの大きさがサブパネル２１および筐体２０の大きさによって制限されず、表示パネルを大型化することができる。
【００７６】
本実施形態は、第一プレート５の表面の下端部の位置を変化させずに、表示ユニット３を逆チルト動作させることができる。これにより、本実施形態によれば、表示ユニット３が車室のセンターコンソール、インストルメントパネルなどに干渉することなく、表示ユニット３を逆チルト動作させることができる。
【００７７】
従来は、第一プレート５の側面にスライド機構８の進退動作に連動して回転するアームを連結して表示ユニット３を逆チルト動作させていた。このため、電子機器１を車両に取り付ける締結部材と、筐体２０の内部のアームとが干渉しないように留意する必要があった。さらに、スライド機構８にはアームを回転させるためのカム溝が必要であった。このため、電子機器１の筐体２０の内部に、アームが回転するためのスペースと、スライド機構８にカム溝を形成するためのスペースとを確保する必要があった。
【００７８】
これに対して、本実施形態は、第一プレート５の側面にアームを配置しないため、電子機器１を車両に取り付ける締結部材を所望の位置に配置することができる。このため、本実施形態は、多様な車種に容易に適用することができる。
【００７９】
本実施形態は、スライド機構８にカム溝を形成しなくてよいので、筐体２０の内部における電子部品の配線のスペースを確保することができる。
【００８０】
本実施形態は、表示ユニット３の逆チルト動作時に、第三回転軸１０３が、ねじりコイルバネによって、サブパネル２１のガイド溝２２の上端部に押し付けられている。これにより、本実施形態は、第一プレート５と第二プレート６とのガタツキ、および、第二プレート６と筐体２０のサブパネル２１とのガタツキを抑制することができる。さらに、本実施形態は、第一回転軸１０１と第二回転軸１０２と第三回転軸１０３とにおけるガタツキを抑制することができる。このように、本実施形態によれば、各部材のガタツキを抑制するための部品を別途配置する必要がない。このため、本実施形態は、部品数を削減することができる。さらに、本実施形態は、ガタツキを抑制することで、逆チルト動作時に各部品に作用する負荷を低減することが可能である。
【００８１】
さて、これまで本発明に係る電子機器１について説明したが、上述した実施形態以外にも種々の異なる形態にて実施されてよいものである。
【００８２】
第一可動部と第二可動部とは、プレート状の第一プレート５と第二プレート６として説明したが、これに限定されない。第一可動部と第二可動部とは、上述した第一プレート５と第二プレート６と同様の動作をするものであればよく、例えば、アーム状に形成されていてもよい。
【００８３】
防護板１０は、第一プレート５とサブパネル２１との間の隙間を覆うものであればよく、構成は限定されない。例えば、防護板１０は、Ｙ軸方向視において、扇形に形成されていてもよいし、シート状の材料で構成されていてもよい。
【符号の説明】
【００８４】
１        電子機器
２        読取ユニット
２０      筐体（電子機器本体）
２１      サブパネル（電子機器本体の表面）
３        表示ユニット
４        表示パネル駆動機構
５        第一プレート（第一可動部）
５１      本体部
５２      連結部
６        第二プレート（第二可動部）
６２      側壁
６３      ガイド溝
７        第一回転軸移動機構
７１      リフトアーム
７６      アーム回転軸
７７      ガイド軸
８        スライド機構
８１      スライドプレート
９        ガイド機構
９１      カム溝
１０      防護板
１１      防護板回転軸
１２      係合軸
１０１    第一回転軸
１０２    第二回転軸
１０３    第三回転軸
Ｌ１      第一回転軸と第二回転軸との間の距離
Ｌ２      第二回転軸と第三回転軸との間の距離
Ｌ３      第一回転軸と第三回転軸との間の距離
【図１】
2018157031.tif 000003
【図２】
2018157031.tif 000004
【図３】
2018157031.tif 000005
【図４】
2018157031.tif 000006
【図５】
2018157031.tif 000007
【図６】
2018157031.tif 000008
【図７】
2018157031.tif 000009
【図８】
2018157031.tif 000010
【図９】
2018157031.tif 000011
【図１０】
2018157031.tif 000012
【図１１】
2018157031.tif 000013
【図１２】
2018157031.tif 000014
【図１３】
2018157031.tif 000015
【図１４】
2018157031.tif 000016